(57)【要約】【課題】  組み立てを容易とするとともに梱包する物品の梱包も容易とする簡易型ダンボール梱包箱を提供すること。【解決手段】  本発明の簡易型ダンボール梱包箱は、ダンボールを折り曲げて形成した筒形状の梱包箱本体１０と、筒形状の梱包箱本体１０の側面間のコーナの前面部１３ａの開口側との後面部１３ｂの開口側とにそれぞれ設けられ、内側に折り曲げられたとき、収納する物品２９を止める止部２１、２２となるＬ型の帯状切込部１５、１６とを備えることとした。【選択図】図１
2010013180.tif 000002
【特許請求の範囲】
【請求項１】
ダンボールを折り曲げて形成した筒形状の梱包箱本体と、前記筒形状の梱包箱本体の側面間のコーナの一方の開口側と他方の開口側とにそれぞれ設けられ、内側に折り曲げられたとき、収納する物品を止める止部となるＬ型の帯状切込部とを備えることを特徴とする簡易型ダンボール梱包箱。
【請求項２】
前記Ｌ型の帯状切込部は、互いに対向して設けられ、前記互いに対向する前記Ｌ型の帯状切込部が内側に折り曲げられて形成される前記止部どうしが互いに当接することを特徴とする請求項１に記載の簡易型ダンボール梱包箱。
【請求項３】
前記Ｌ型の帯状切込部は、前記筒形状の梱包箱本体の側面間のそれぞれの前記コーナにそれぞれ対向して同一面に設けられることを特徴とする請求項１に記載の簡易型ダンボール梱包箱。
【請求項４】
前記Ｌ型の帯状切込部は、前記コーナの内側に向け複数設け、長さの異なる前記収納する物品が収納されたとき、選択的に前記Ｌ型の帯状切込部を内側に折り曲げ、前記止部を形成することを特徴とする請求項１に記載の簡易型ダンボール梱包箱。
【発明の詳細な説明】
【技術分野】
【０００１】  本発明は、組み立てを容易とするとともに梱包する物品の梱包も容易とする簡易型ダンボール梱包箱に関する。
【背景技術】
【０００２】  従来のダンボール梱包箱は、所定の形状に切り抜かれたダンボールが折り曲げられて角型の筒形状とされ、一方の側の底部側に形成された各フラップがそれぞれ内側に折り曲げられて突き合わされ、さらに粘着テープで張り合わされて底部が形成されている。収納する物品が他方の側の開口部より収納されたとき、開口部側に形成された各フラップが内側に折り曲げられてさらに粘着テープで張り合わされて梱包され、様々の物品の梱包に使用されている（例えば、特許文献１参照）。【０００３】
【特許文献１】  特開２００３−２３７８７８号公報
【発明の開示】
【発明が解決しようとする課題】
【０００４】  しかしながら、従来のダンボール梱包箱は、軽量で強度も強く幅広く物品の梱包に使用されているが、組み立てに工数がかかるとともに、収納する物品の梱包にも手間がかかるものであった。
本発明は、上記の問題に鑑みてなされたものであって、組み立てを容易とするとともに梱包する物品の梱包も容易とする簡易型ダンボール梱包箱を提供することを目的とする。
【課題を解決するための手段】
【０００５】  本発明の簡易型ダンボール梱包箱は、ダンボールを折り曲げて形成した筒形状の梱包箱本体と、前記筒形状の梱包箱本体の側面間のコーナの一方の開口側と他方の開口側とにそれぞれ設けられ、内側に折り曲げられたとき、収納する物品を止める止部となるＬ型の帯状切込部とを備えることとした。
また、前記Ｌ型の帯状切込部は、互いに対向して設けられ、前記互いに対向する前記Ｌ型の帯状切込部が内側に折り曲げられて形成される前記止部どうしが互いに当接することとした。
また、前記Ｌ型の帯状切込部は、前記筒形状の梱包箱本体の側面間のそれぞれの前記コーナにそれぞれ対向して同一面に設けられることとした。
さらに、前記Ｌ型の帯状切込部は、前記コーナの内側に向け複数設け、長さの異なる前記収納する物品が収納されたとき、選択的に前記Ｌ型の帯状切込部を内側に折り曲げ、前記止部を形成することとした。
【発明の効果】
【０００６】  本発明の簡易型ダンボール梱包箱は、ダンボールを折り曲げて形成した筒形状の梱包箱本体と、前記筒形状の梱包箱本体の側面間のコーナの一方の開口側と他方の開口側とにそれぞれ設けられ、内側に折り曲げられたとき、収納する物品を止める止部となるＬ型の帯状切込部とを備えることとしたため、箱形の筒形状の梱包箱本体が容易に組み立てられ、収納する物品を挿入して収納し、Ｌ字型の帯状切込部を内側に向け折り曲げてＬ字型の止部を形成し、梱包も容易に行うことができる。また、梱包材も削減できるためコストダウンも図ることができる。
また、前記Ｌ型の帯状切込部は、互いに対向して設けられ、前記互いに対向する前記Ｌ型の帯状切込部が内側に折り曲げられて形成される前記止部どうしが互いに当接することとしたため、箱形の筒形状の梱包箱本体が容易に組み立てられ、収納する物品をより強固に止め、梱包も容易に行うことができる。
また、前記Ｌ型の帯状切込部は、前記筒形状の梱包箱本体の側面間のそれぞれの前記コーナにそれぞれ対向して同一面に設けられることとしたため、箱形の筒形状の梱包箱本体が容易に組み立てられ、収納する物品をより強固に止め、容易に梱包することができる。
さらに、前記Ｌ型の帯状切込部は、前記コーナの内側に向け複数設け、長さの異なる前記収納する物品が収納されたとき、選択的に前記Ｌ型の帯状切込部を内側に折り曲げ、前記止部を形成することとしたため、収納する物品の長さに応じて簡易型ダンボール梱包箱に止めて収納し、容易に梱包することができる。
【発明を実施するための最良の形態】
【０００７】  以下、本発明の実施の形態の簡易型ダンボール梱包箱につき説明する。
【実施例１】
【０００８】  図１は、本発明の第１の実施の形態の簡易型ダンボール梱包箱を示し、図１（ａ）は、本発明の第１の実施の形態の簡易型ダンボール梱包箱の斜視図を示し、図１（ｂ）は、簡易型ダンボール梱包箱に物品を収納して梱包するときの斜視図を示す。
図１（ａ）に示すように、本発明の第１の実施の形態の簡易型ダンボール梱包箱１は、梱包箱本体１０を備え、梱包箱本体１０は、折り曲げるための折線が形成された長方形状のダンボールが折線にそって折り曲げられ、上面側の側面部１１ａと、正面側の側面部１１ｂと、下面側の側面部１１ｃと、裏面側の側面部１１ｄとで形成され、正面側の側面部１１ｂと下面側の側面部１１ｃとが接続部１２により接続し、前方側Ｆの前面部１３ａと後方側Ｒの後面部１３ｂとが開口した箱形の筒形状に組み立てられている。
梱包箱本体１０には、上面側の側面部１１ａと正面側の側面部１１ｂとのコーナ１４ａから左右に直角に伸びＬ字型となった切込１７が平行に形成され、並行に形成された切込１７のそれぞれの端部間には折線１８が形成されたＬ字型の帯状切込部１５が前方側Ｆに設けられている。Ｌ字型の帯状切込部１５は、Ｌ字型の切込１７が平行に形成され、さらに、切込１７のそれぞれの端部間には折線１８が形成されており、内側に向け容易に折り曲げることができる。また、同様にＬ字型の帯状切込部１６が後方側Ｒにも設けられている。【０００９】  図１（ｂ）に示すように、梱包箱本体１０は、開口した前方側Ｆの前面部１３ａ、または後方側Ｒの後面部１３ｂから様々の物品を収納することができる。
Ｌ字型の止部２１は、図１（ａ）に示すＬ字型の帯状切込部１５を内側に向け折り曲げ前方側Ｆに形成することができ、また、同様にしてＬ字型の止部２２も、図１（ａ）に示すＬ字型の帯状切込部１６を内側に向け折り曲げ後方側Ｒに形成することができる。
収納する物品の例えば流し台などに使用するアミカゴ２９を収納して梱包するときには、矢印Ｄに示すように、梱包箱本体１０に開口した前面部１３ａからアミカゴ２９を挿入して収納し、図１（ａ）に示すＬ字型の帯状切込部１５を内側に向け折り曲げてＬ字型の止部２１を前方側Ｆに形成し、また、同様にしてＬ字型の止部２２も後方側Ｒに形成する。そのため、アミカゴ２９は、Ｌ字型の止部２１とＬ字型の止部２１との間に挟まれて止められ、簡易型ダンボール梱包箱１に収納されて梱包される。【００１０】  以上述べたごとく、本発明の第１の実施の形態の簡易型ダンボール梱包箱１は、箱形の筒形状の梱包箱本体１０が容易に組み立てられ、開口した前面部１３ａから収納する物品の例えば流し台などに使用するアミカゴ２９を挿入して収納し、Ｌ字型の帯状切込部１５、１６を内側に向け折り曲げてＬ字型の止部２１、２２を形成し、梱包も容易に行うことができる。また、梱包材も削減できるためコストダウンも図ることができる。
【実施例２】
【００１１】  図２は、本発明の第２の実施の形態の簡易型ダンボール梱包箱を示し、図２（ａ）は、本発明の第２の実施の形態の簡易型ダンボール梱包箱の斜視図を示し、図２（ｂ）は、簡易型ダンボール梱包箱に物品を収納して梱包するときの前方側からの側面図を示す。
図２（ａ）に示すように、本発明の第２の実施の形態の簡易型ダンボール梱包箱２は、梱包箱本体３０を備え、梱包箱本体３０は、本発明の第１の実施の形態と同様に、上面側の側面部３１ａと、正面側の側面部３１ｂと、下面側の側面部３１ｃ、と裏面側の側面部３１ｄとで形成され、正面側の側面部３１ｂと下面側の側面部３１ｃとが接続部３２により接続し、前方側Ｆの前面部３３ａと後方側Ｒの後面部３３ｂとが開口した箱形の筒形状に組み立てられている。
梱包箱本体３０には、上面側の側面部３１ａと正面側の側面部３１ｂとのコーナ３４ａから左右に直角に伸びＬ字型となった切込３７ａが平行に形成され、並行に形成された切込３７のそれぞれの端部間には折線３８ａが形成されたＬ字型の帯状切込部３５ａが前方側Ｆに設けられている。さらに、後面側の側面部３１ｄと下面側の側面部３１ｃとのコーナ３４ｂから左右に直角に伸びＬ字型となった切込３７ｂが平行に形成され、切込３７ｂのそれぞれの端部間には折線３８ｂが形成されたＬ字型の帯状切込部３５ｂがＬ字型の帯状切込部３５ａと対向して前方側Ｆに設けられている。Ｌ字型の帯状切込部３５ａ、３５ｂは、内側に向け容易に折り曲げることができる。
また、同様にＬ字型の帯状切込部３６ａとＬ字型の帯状切込部３６ｂが後方側Ｒにも設けられ、梱包箱本体３０は、開口した前方側Ｆの前面部３３ａ、または後方側Ｒの後面部３３ａから様々の物品を収納することができる。【００１２】  図２（ｂ）に示すように、梱包箱本体３０のＬ字型の止部４１ａは、図２（ａ）に示すＬ字型の帯状切込部３５ａを内側に向け折り曲げ前方側Ｆに形成することができ、Ｌ字型の止部４１ｂは、図２（ａ）に示すＬ字型の帯状切込部３５ｂを内側に向け折り曲げ、Ｌ字型の止部４１ａと対向して前方側Ｆに形成することができる。また、同様にしてＬ字型の止部４２ａ、４２ｂも図２（ａ）に示すＬ字型の帯状切込部３６ａ、３６ｂから後方側Ｒに形成することができる。Ｌ字型の止部４１ａとＬ字型の止部４１ｂは互いに当接する当接部４３を有するように形成されており、粘着テープ４４などにより互いに固定することができ、また、同様にＬ字型の止部４２ａとＬ字型の止部４２ｂも互いに固定することができる。
図１に示すアミカゴ２９を収納して梱包するときには、梱包箱本体３０に開口した前面部３３ａからアミカゴ２９を挿入して収納し、Ｌ字型の帯状切込部３５ａ、３５ｂを内側に向け折り曲げてＬ字型の止部４１ａ、４１ｂを前方側Ｆに形成し、また、Ｌ字型の帯状切込部３６ａ、３６ｂを同様に折り曲げてＬ字型の止部４２ａ、４２ｂも後方側Ｒに形成する。そのため、アミカゴ２９は、Ｌ字型の止部４１ａ、４１ｂとＬ字型の止部４２ａ、４２ｂとの間に挟まれて止められ、簡易型ダンボール梱包箱２に収納されて梱包される。【００１３】  以上述べたごとく、本発明の第２の実施の形態の簡易型ダンボール梱包箱２は、箱形の筒形状の梱包箱本体３０が容易に組み立てられ、開口した前面部３３ａから収納する物品の例えば流し台などに使用するアミカゴ２９を挿入して収納し、Ｌ字型の帯状切込部３５ａ、３５ｂを内側に向け折り曲げＬ字型の止部４１ａ、４１ｂを前方側Ｆに形成し、Ｌ字型の帯状切込部３６ａ、３６ｂを内側に向け折り曲げＬ字型の止部４２ａ、４２ｂを後方側Ｒに形成し、梱包も容易に行うことができる。
また、Ｌ字型の止部４１ａとＬ字型の止部４１ｂは互いに固定することができ、Ｌ字型の止部４２ａとＬ字型の止部４２ｂも互いに固定することができ、アミカゴ２９をより強固に止め梱包することができる。また、本発明の第１の実施の形態と同様に、梱包材も削減できるためコストダウンも図ることができる。
【実施例３】
【００１４】  図３は、本発明の第３の実施の形態の簡易型ダンボール梱包箱を示し、図３（ａ）は、本発明の第３の実施の形態の簡易型ダンボール梱包箱の斜視図を示し、図３（ｂ）は、簡易型ダンボール梱包箱に物品を収納して梱包するときの前方側からの側面図を示す。
図３（ａ）に示すように、本発明の第３の実施の形態の簡易型ダンボール梱包箱３は、梱包箱本体５０を備え、梱包箱本体５０は、本発明の第１の実施の形態と同様に、上面側の側面部５１ａと、正面側の側面部５１ｂと、下面側の側面部５１ｃと、裏面側の側面部５１ｄとで形成され、下面側の側面部５１ｃの接続部５２で粘着テープなどにより接続し、前方側Ｆの前面部５３ａと後方側Ｒの後面部５３ｂとが開口した箱形の筒形状に組み立てられている。
梱包箱本体５０には、Ｌ字型の帯状切込部５５ａと、Ｌ字型の帯状切込部５５ｂと、Ｌ字型の帯状切込部５５ｃと、Ｌ字型の帯状切込部５５ｄとが、側面部５１ａ、５１ｂ、５１ｃ、５１ｄの間のコーナに同一面内で前方側Ｆに設けられている。さらに、Ｌ字型の帯状切込部５６ａと、Ｌ字型の帯状切込部５６ｂと、Ｌ字型の帯状切込部５６ｃと、Ｌ字型の帯状切込部５６ｄとが、側面部５１ａ、５１ｂ、５１ｃ、５１ｄの間のコーナに同一面内で後方側Ｒにも設けられている。Ｌ字型の帯状切込部５５ａ、５５ｂ、５５ｃ、５５ｄと、Ｌ字型の帯状切込部５６ａ、５６ｂ、５６ｃ、５６ｄとは、内側に向け容易に折り曲げることができる。梱包箱本体５０は、開口した前方側Ｆの前面部５３ａ、または後方側Ｒの後面部５３ａから様々の物品を収納することができる。【００１５】  図３（ｂ）に示すように、梱包箱本体５０のＬ字型の止部６１ａ、６１ｂ、６１ｃ、６１ｄは、図３（ａ）に示すＬ字型の帯状切込部５５ａ、５５ｂ、５５ｃ、５５ｄを内側に向け折り曲げ同一面内で前方側Ｆに形成することができ、また、同様にしてＬ字型の止部６２ａ、６２ｂ、６２ｃ、６２ｄも、図３（ａ）に示すＬ字型の帯状切込部５６ａ、５６ｂ、５６ｃ、５６ｄから同一面内で後方側Ｒに形成することができる。
図１に示すアミカゴ２９を収納して梱包するときには、梱包箱本体５０に開口した前面部５３ａからアミカゴ２９を挿入して収納し、Ｌ字型の帯状切込部５５ａ、５５ｂ、５５ｃ、５５ｄを内側に向け折り曲げてＬ字型の止部６１ａ、６１ｂ、６１ｃ、６１ｄを前方側Ｆに形成し、また、Ｌ字型の帯状切込部５６ａ、５６ｂ、５６ｃ、５６ｄを同様に折り曲げてＬ字型の止部６２ａ、６２ｂ、６２ｃ、６２ｄを後方側Ｒに形成する。
そのため、アミカゴ２９は、Ｌ字型の止部６１ａ、６１ｂ、６１ｃ、６１ｄとＬ字型の止部６２ａ、６２ｂ、６２ｃ、６２ｄとの間に挟まれて止められ、簡易型ダンボール梱包箱３に収納されて梱包される。【００１６】  以上述べたごとく、本発明の第３の実施の形態の簡易型ダンボール梱包箱３は、箱形の筒形状の梱包箱本体５０が容易に組み立てられ、開口した前面部５３ａから収納する物品の例えば流し台などに使用するアミカゴ２９を挿入して収納し、Ｌ字型の帯状切込部５５ａ、５５ｂ、５５ｃ、５５ｄを内側に向け折り曲げＬ字型の止部６１ａ、６１ｂ、６１ｃ、６１ｄを前方側Ｆに形成し、Ｌ字型の帯状切込部５６ａ、５６ｂ、５６ｃ、５６ｄを内側に向け折り曲げＬ字型の止部６２ａ、６２ｂ、６２ｃ、６２ｄを後方側Ｒに形成し、梱包も容易に行うことができる。
また、前方側Ｆのコーナごとに形成するＬ字型の止部６１ａ、６１ｂ、６１ｃ、６１ｄと、後方側Ｒのコーナごとに形成するＬ字型の止部６２ａ、６２ｂ、６２ｃ、６２ｄとでアミカゴ２９を止めるため、より強固に止め容易に梱包することができる。また、本発明の第１の実施の形態と同様に、梱包材も削減できるためコストダウンも図ることができる。
【実施例４】
【００１７】  図４は、本発明の第４の実施の形態の簡易型ダンボール梱包箱を示し、図４（ａ）は、本発明の第４の実施の形態の簡易型ダンボール梱包箱の斜視図を示し、図４（ｂ）は、簡易型ダンボール梱包箱に物品を収納して梱包するときの斜視図を示す。
図４（ａ）に示すように、本発明の第４の実施の形態の簡易型ダンボール梱包箱４は、梱包箱本体７０を備え、梱包箱本体７０は、折り曲げるための折線が形成された長方形状のダンボールが折線にそって折り曲げられ、上面側の側面部７１ａと、正面側の側面部７１ｂと、下面側の側面部７１ｃと、裏面側の側面部７１ｄとで形成され、下面側の側面部７１ｃの接続部７２で粘着テープなどにより接続し、前方側Ｆの前面部７３ａと後方側Ｒの後面部７３ｂとが開口した箱形の筒形状に組み立てられている。
梱包箱本体７０には、上面側の側面部７１ａと正面側の側面部７１ｂとのコーナ７４ａから左右に伸びたＬ字型の帯状切込部７５ａが前方側Ｆに設けられ、正面側の側面部７１ｂと下面側の側面部７１ｃとのコーナ７４ｂから左右に伸び、Ｌ字型の帯状切込部７５ａより予め定めた内側の位置にＬ字型の帯状切込部７５ｂが設けられている。また、上面側の側面部７１ａと正面側の側面部７１ｂとのコーナ７４ａから左右に伸びたＬ字型の帯状切込部７６ａが後方側Ｒに設けられ、正面側の側面部７１ｂと下面側の側面部７１ｃとのコーナ７４ｂから左右に伸び、Ｌ字型の帯状切込部７６ａより予め定めた内側の位置にＬ字型の帯状切込部７６ｂが設けられている。Ｌ字型の帯状切込部７５ａ、７５ｂ、７６ａ、７６ｂは、内側に向け容易に折り曲げることができる。【００１８】  図４（ｂ）に示すように、梱包箱本体７０は、開口した前方側Ｆの前面部７３ａ、または後方側Ｒの後面部７３ｂから、長さの異なる物品に応じた収納をすることができる。
図４（ａ）に示すＬ字型の帯状切込部７５ａとＬ字型の帯状切込部７６ｂとの間の長さに応じたアミカゴ７９ａを収納して梱包するときには、矢印Ｄに示すように、梱包箱本体７０に開口した前面部７３ａからアミカゴ７９ａを挿入して収納し、図４（ａ）に示すＬ字型の帯状切込部７５ａ、７６ｂを内側に向け折り曲げて、Ｌ字型の止部８１ａを前方側Ｆに形成し、Ｌ字型の止部８２ｂを後方側Ｒに形成する。そのため、アミカゴ７９ａは、Ｌ字型の止部８１ａとＬ字型の止部８２ｂとの間に挟まれて止められ、簡易型ダンボール梱包箱４には長さ応じた収納がされて梱包することができる。
また、同様にして、Ｌ字型の帯状切込部７５ａとＬ字型の帯状切込部７６ａとの間の長さに応じたアミカゴ７９ｂや、Ｌ字型の帯状切込部７５ｂとＬ字型の帯状切込部７６ａとの間の長さに応じたアミカゴ７９ｃや、Ｌ字型の帯状切込部７５ｂとＬ字型の帯状切込部７６ｂとの間の長さに応じたアミカゴ７９ｄも長さ応じて簡易型ダンボール梱包箱４に止めて収納し、梱包することができる。【００１９】  以上述べたごとく、本発明の第４の実施の形態の簡易型ダンボール梱包箱４は、箱形の筒形状の梱包箱本体７０が容易に組み立てられ、Ｌ字型の帯状切込部７５ａ、Ｌ字型の帯状切込部７５ｂ、Ｌ字型の帯状切込部７６ａ、Ｌ字型の帯状切込部７６ｂにより、アミカゴの長さに応じて簡易型ダンボール梱包箱４に止めて収納し、容易に梱包することができる。また、本発明の第１の実施の形態と同様に、梱包材も削減できるためコストダウンも図ることができる。
なお、本発明の第４の実施の形態の簡易型ダンボール梱包箱４は、前方側Ｆと後方側Ｒとにそれぞれ２個のＬ字型の帯状切込部を設けることとしてが、前方側Ｆと後方側Ｒとにそれぞれ複数個設けることも、いずれか一方の側に複数個設けることもできる。【００２０】  本発明の実施の形態の簡易型ダンボール梱包箱は、アミカゴの梱包につき説明したが、これに限定することなく、アミカゴ以外の梱包も容易に行うことができる。
また、本発明の実施の形態の簡易型ダンボール梱包箱は、前方側と後方側とが開口した断面が長方形の筒形状の梱包箱本体につきに説明したが、これに限定することなく、断面が正方形や、台形などにすることもできる。
さらに、本発明の実施の形態の簡易型ダンボール梱包箱は、内側に向け折り曲げられ形成されたＬ字型の帯状切込部を元にもどすことにより収納した物品を容易に取り出すこともできるとともに、再利用を容易に行うこともできる。
【図面の簡単な説明】
【００２１】
【図１】  本発明の第１の実施の形態の簡易型ダンボール梱包箱を示し、図１（ａ）は、本発明の第１の実施の形態の簡易型ダンボール梱包箱の斜視図を示し、図１（ｂ）は、簡易型ダンボール梱包箱に物品を収納して梱包するときの斜視図を示す。
【図２】  本発明の第２の実施の形態の簡易型ダンボール梱包箱を示し、図２（ａ）は、本発明の第２の実施の形態の簡易型ダンボール梱包箱の斜視図を示し、図２（ｂ）は、簡易型ダンボール梱包箱に物品を収納して梱包するときの前方側からの側面図を示す。
【図３】  本発明の第３の実施の形態の簡易型ダンボール梱包箱を示し、図３（ａ）は、本発明の第３の実施の形態の簡易型ダンボール梱包箱の斜視図を示し、図３（ｂ）は、簡易型ダンボール梱包箱に物品を収納して梱包するときの前方側からの側面図を示す。
【図４】  本発明の第４の実施の形態の簡易型ダンボール梱包箱を示し、図４（ａ）は、本発明の第４の実施の形態の簡易型ダンボール梱包箱の斜視図を示し、図４（ｂ）は、簡易型ダンボール梱包箱に物品を収納して梱包するときの斜視図を示す。
【符号の説明】
【００２２】  １、２、３、４  簡易型ダンボール梱包箱
１０、３０、５０、７０  梱包箱本体
１１ａ、３１ａ、５１ａ、７１ａ  上面側の側面部
１１ｂ、３１ｂ、５１ｂ、７１ｂ  正面側の側面部
１１ｃ、３１ｃ、５１ｃ、７１ｃ  下面側の側面部
１１ｄ、３１ｄ、５１ｄ、７１ｄ  裏面側の側面部
１７、３７ａ、３７ｂ  切込
１５、１６、３５ａ、３５ｂ、３６ａ、３６ｂ、５５ａ、５５ｂ、５５ｃ、５５ｄ、７５ａ、７５ｂ、７６ａ、７６ｂ  Ｌ字型の帯状切込部
２１、２２、４１ａ、４１ｂ、４２ａ、４２ｂ、６１ａ、６１ｂ、６１ｃ、６１ｄ、６２ａ、６２ｂ、６２ｃ、６２ｄ  Ｌ字型の止部
２９、７９ａ、７９ｂ、７９ｃ、７９ｄ  アミカゴ
【図１】
2010013180.tif 000003
【図２】
2010013180.tif 000004
【図３】
2010013180.tif 000005
【図４】
2010013180.tif 000006